(57)【要約】【課題】折り畳んだ際に収容に広い面積を要せず、積み重ねる際の厚みが少なく、取扱が容易な折り畳み式通箱。【解決手段】布部材製の矩形の底面と、底面の縁辺に下方側が連結されている前後左右壁部と、後縁辺が後壁部の頂縁辺に折り曲げ可能に連結されている蓋部とを備える箱型の折り畳み式通箱。蓋部の前縁辺、左縁辺、右縁辺が前壁部、左壁部、右壁部の頂縁辺に取り付け取り外し可能で、左壁部及び右壁部はそれぞれの前壁部と後壁部との間の左壁中間部及び右壁中間部において折り曲げ可能になっている。蓋部の左縁辺、前縁辺、右縁辺が左壁部、前壁部、右壁部の頂縁辺に取り付けられていない状態で底面をその中央部で上方側に引き上げたとき、前壁部と後壁部とが底面の中央部側に向かって互いに接近する方向に移動し、左壁中間部と右壁中間部とが底面の中央部側に向かって互いに接近する方向に移動して折り畳まれる。【選択図】図２
2012106760.tif 000002
【特許請求の範囲】
【請求項１】
箱底を形成する布部材製の矩形の底面と、
当該布部材製の矩形の底面の四つの縁辺に下方側の底縁辺がそれぞれ連結されている前壁部、後壁部、左壁部及び、右壁部と、
前記底面の矩形形状に対応する面積を有し、後方側の後縁辺が、前記後壁部の上方側の頂縁辺に折り曲げ可能に連結されていて箱蓋を形成する矩形の蓋部と
を備えている箱型の折り畳み式通箱であって、
前記蓋部の前記後縁辺に対向する前縁辺と、前記後縁辺の両端に直交して前記前縁辺に向かって伸びる左縁辺及び右縁辺とが、それぞれ、前記前壁部、左壁部、右壁部の上方側の頂縁辺に取り付け取り外し可能になっていると共に、
前記左壁部及び前記右壁部は、前記左壁部の前記前壁部と前記後壁部との間の左壁中間部及び、前記右壁部の前記前壁部と前記後壁部との間の右壁中間部とにおいて、それぞれ、折り曲げ可能になっており、
前記蓋部の左縁辺、前縁辺及び、右縁辺が、それぞれ、前記左壁部、前壁部、右壁部の前記頂縁辺に取り付けられていない状態で前記底面をその中央部において上方側に引き上げたときに、
前記前壁部と前記後壁部とが、前記底面の中央部側に向かって互いに接近する方向に移動し、
前記左壁中間部と、前記右壁中間部とが、前記底面の中央部側に向かって互いに接近する方向に移動し
て折り畳まれることを特徴とする折り畳み式通箱。
【請求項２】
前記蓋部の左縁辺の部分、前縁辺の部分及び、右縁辺の部分と、前記左壁部、前壁部及び、右壁部の頂縁辺の部分とに、スライドファスナーを構成する一対のファスナーテープがそれぞれ配備されており、当該スライドファスナーによって、前記蓋部の左縁辺、前縁辺及び、右縁辺が、それぞれ、前記左壁部、前壁部及び、右壁部の頂縁辺に取り付け取り外し可能になっていると共に、
前記スライドファスナーを構成するスライダーによって、前記蓋部の左縁辺の部分、前縁辺の部分及び、右縁辺の部分に配備されているファスナーテープの務歯列と、前記左壁部、前壁部及び、右壁部の頂縁辺の部分に配備されているファスナーテープの務歯列とがかみ合わされて前記スライドファスナーが閉じられるときに、前記左壁部、前壁部及び、右壁部の頂縁辺の部分に配備されているファスナーテープの前記務歯列の務歯頭部が、前記左壁部、右壁部、前壁部の頂縁辺よりも下側に位置する
ことを特徴とする請求項１記載の折り畳み式通箱。
【請求項３】
前記前壁部、後壁部及び蓋部は、それぞれ、内外二重になっている前壁布部材、後壁布部材及び、蓋部布部材の内側に、それぞれ、前壁板状体、後壁板状体及び蓋部板状体が装入されて形成されており、
前記左壁部及び右壁部は、それぞれ内外二重になっている左壁布部材及び右壁布部材の内側に、それぞれ、前記左壁中間部及び前記右壁中間部において折り曲げ可能になっている左壁板状体及び右壁板状体が装入されて形成されている
ことを特徴とする請求項１又は２記載の折り畳み式通箱。
【請求項４】
前記左壁板状体及び右壁板状体はそれぞれ前記左壁中間部及び前記右壁中間部において分割されている２枚の板状体からなることを特徴とする請求項３記載の折り畳み式通箱。
【請求項５】
請求項１乃至請求項４のいずれか一項記載の折り畳み式通箱に底面補強板が付属されており、
当該底面補強板は、
前記箱底を形成する布部材製の矩形の底面に対応する面積を有し、
前記布部材製の矩形の底面をその中央部において上方側に引き上げ、前記前壁部と前記後壁部とを前記布部材製の矩形の底面の中央部側に向かって互いに接近する方向に移動させ、前記左壁中間部と前記右壁中間部とを前記布部材製の矩形の底面の中央部側に向かって互いに接近する方向に移動させて折り畳むときに、前記前壁部の内側面あるいは前記後壁部の内側面と、前記左壁部の前記左壁中間部までの内側面及び前記右壁部の前記右壁中間部までの内側面とによって挟まれる
ことを特徴とする請求項１乃至請求項４のいずれか一項記載の折り畳み式通箱。
【発明の詳細な説明】
【技術分野】
【０００１】
この発明は商品などの荷物を運搬する際に当該荷物を収容して運搬に供され、当該荷物の運搬後は折り畳んで返却または保管し、新たな荷物の運搬の際に再度使用に供される折り畳み式の通箱に関する。
【背景技術】
【０００２】
従来から折り畳み式通箱については種々の提案が行われている（特許文献１）。しかし、従来の折り畳み式通箱の場合、折り畳んだ際に箱型の通箱の各側壁や箱底、箱蓋を構成している複数面のサイズになって収容に広い面積が必要になったり、面積を小さくして積み重ねようとすると厚みがかさんでしまう、等々の問題があった。
【０００３】
このような問題を解決する目的で「折り畳み時に胴膨れの無い通箱及びその折り畳み方法」（特許文献２）や、ポリプロピレン（ＰＰ）等の合成樹脂製の中空樹脂板材からなるプラスチック製ダンボール（通称「プラダン」）（以下、本明細書においても「プラダン」と称することがある）を使用した折り畳み式通箱（特許文献３）が提案されている。
【先行技術文献】
【特許文献】
【０００４】
【特許文献１】特開２０１０−３６９３１号公報
【特許文献２】特開２００４−７５１７０号公報
【特許文献３】特開２００５−３４３５５４号公報
【発明の概要】
【発明が解決しようとする課題】
【０００５】
この発明は、折り畳んだ際に収容に広い面積を必要とせず、積み重ねる際の厚みが少なく、又、表面が滑らず、取扱が容易な折り畳み式通箱を提案することを目的にしている。
【課題を解決するための手段】
【０００６】
請求項１記載の発明は、
箱底を形成する布部材製の矩形の底面と、
当該布部材製の矩形の底面の四つの縁辺に下方側の底縁辺がそれぞれ連結されている前壁部、後壁部、左壁部及び、右壁部と、
前記底面の矩形形状に対応する面積を有し、後方側の後縁辺が、前記後壁部の上方側の頂縁辺に折り曲げ可能に連結されていて箱蓋を形成する矩形の蓋部と
を備えている箱型の折り畳み式通箱であって、
前記蓋部の前記後縁辺に対向する前縁辺と、前記後縁辺の両端に直交して前記前縁辺に向かって伸びる左縁辺及び右縁辺とが、それぞれ、前記前壁部、左壁部、右壁部の上方側の頂縁辺に取り付け取り外し可能になっていると共に、
前記左壁部及び前記右壁部は、前記左壁部の前記前壁部と前記後壁部との間の左壁中間部及び、前記右壁部の前記前壁部と前記後壁部との間の右壁中間部とにおいて、それぞれ、折り曲げ可能になっており、
前記蓋部の左縁辺、前縁辺及び、右縁辺が、それぞれ、前記左壁部、前壁部、右壁部の前記頂縁辺に取り付けられていない状態で前記底面をその中央部において上方側に引き上げたときに、
前記前壁部と前記後壁部とが、前記底面の中央部側に向かって互いに接近する方向に移動し、
前記左壁中間部と、前記右壁中間部とが、前記底面の中央部側に向かって互いに接近する方向に移動し
て折り畳まれることを特徴とする折り畳み式通箱である。
【０００７】
請求項２記載の発明は、
前記蓋部の左縁辺の部分、前縁辺の部分及び、右縁辺の部分と、前記左壁部、前壁部及び、右壁部の頂縁辺の部分とに、スライドファスナーを構成する一対のファスナーテープがそれぞれ配備されており、当該スライドファスナーによって、前記蓋部の左縁辺、前縁辺及び、右縁辺が、それぞれ、前記左壁部、前壁部及び、右壁部の頂縁辺に取り付け取り外し可能になっていると共に、
前記スライドファスナーを構成するスライダーによって、前記蓋部の左縁辺の部分、前縁辺の部分及び、右縁辺の部分に配備されているファスナーテープの務歯列と、前記左壁部、前壁部及び、右壁部の頂縁辺の部分に配備されているファスナーテープの務歯列とがかみ合わされて前記スライドファスナーが閉じられるときに、前記左壁部、前壁部及び、右壁部の頂縁辺の部分に配備されているファスナーテープの前記務歯列の務歯頭部が、前記左壁部、右壁部、前壁部の頂縁辺よりも下側に位置する
ことを特徴とする請求項１記載の折り畳み式通箱である。
【０００８】
請求項３記載の発明は、
前記前壁部、後壁部及び蓋部は、それぞれ、内外二重になっている前壁布部材、後壁布部材及び、蓋部布部材の内側に、それぞれ、前壁板状体、後壁板状体及び蓋部板状体が装入されて形成されており、
前記左壁部及び右壁部は、それぞれ内外二重になっている左壁布部材及び右壁布部材の内側に、それぞれ、前記左壁中間部及び前記右壁中間部において折り曲げ可能になっている左壁板状体及び右壁板状体が装入されて形成されている
ことを特徴とする請求項１又は２記載の折り畳み式通箱である。
【０００９】
請求項４記載の発明は、
前記左壁板状体及び右壁板状体はそれぞれ前記左壁中間部及び前記右壁中間部において分割されている２枚の板状体からなることを特徴とする請求項３記載の折り畳み式通箱である。
【００１０】
請求項５記載の発明は、
請求項１乃至請求項４のいずれか一項記載の折り畳み式通箱に底面補強板が付属されており、
当該底面補強板は、
前記箱底を形成する布部材製の矩形の底面に対応する面積を有し、
前記布部材製の矩形の底面をその中央部において上方側に引き上げ、前記前壁部と前記後壁部とを前記布部材製の矩形の底面の中央部側に向かって互いに接近する方向に移動させ、前記左壁中間部と前記右壁中間部とを前記布部材製の矩形の底面の中央部側に向かって互いに接近する方向に移動させて折り畳むときに、前記前壁部の内側面あるいは前記後壁部の内側面と、前記左壁部の前記左壁中間部までの内側面及び前記右壁部の前記右壁中間部までの内側面とによって挟まれる
ことを特徴とする請求項１乃至請求項４のいずれか一項記載の折り畳み式通箱である。
【発明の効果】
【００１１】
この発明によれば、折り畳んだ際に収容に広い面積を必要とせず、積み重ねる際の厚みが少なく、又、表面が滑らず、取扱が容易な折り畳み式通箱を提供することができる。
【図面の簡単な説明】
【００１２】
【図１】本発明の折り畳み式通箱が組み立てられ、内部に荷物などが収容されて運搬に供されている状態を表す斜視図。
【図２】本発明の折り畳み式通箱を折り畳み始めた状態を表す斜視図。
【図３】図２の状態から更に折り畳んだ状態を表す斜視図。
【図４】本発明の折り畳み式通箱を折り畳んだ状態を表す斜視図。
【図５】スライドファスナーによって蓋部の前縁辺が前壁部の頂縁辺に取り付け、取り外しされる状態を説明する一部を省略した拡大正面図。
【図６】（ａ）前壁部の構造を説明する一部を省略した拡大断面図、（ｂ）左壁部の構造を説明する一部を省略した拡大断面図、（ｃ）後壁部の構造を説明する一部を省略した拡大断面図、（ｄ）右壁部の構造を説明する一部を省略した拡大断面図。
【図７】（ａ）盗難防止具を説明する斜視図、（ｂ）掛合された状態の盗難防止具を説明する斜視図、（ｃ）スライドファスナーが閉じられ、盗難防止具が取り付けられた状態を説明する一部を省略した拡大正面図。
【発明を実施するための形態】
【００１３】
以下、添付図面を参照して本発明の好ましい実施形態を説明する。
【００１４】
図１はこの発明の折り畳み式通箱１が内部に荷物などを収容して運搬に供されている場合の一例を説明する斜視図であり、図２はこの発明の折り畳み式通箱１が折り畳み始められた状態を説明する斜視図である。
【００１５】
この発明の折り畳み式通箱１は、図１図示のように、箱型で、箱底を形成する布部材製の矩形の底面２と、前壁部３、後壁部６、左壁部４、右壁部５、箱蓋７を備えている。
【００１６】
前壁部３の下方側の底縁辺３１は底面２の四つの縁辺の一つである前縁辺２１に連結され、後壁部６の下方側の底縁辺６１は底面２の四つの縁辺の一つである後縁辺２４に連結され、左壁部４の下方側の底縁辺４１は底面２の四つの縁辺の一つである左縁辺２２に連結され、右壁部５の下方側の底縁辺５１は底面２の四つの縁辺の一つである右縁辺２３に連結されている。
【００１７】
左壁部４は前壁部３と後壁部６との間の左壁中間部４ｃにおいて、図２に矢印１５ａ、１５ｂで示すように、折り曲げ可能になっている。右壁部５も、前壁部３と後壁部６との間の右壁中間部５ｃにおいて、図２に矢印１４ａ、１４ｂで示すように、折り曲げ可能になっている。
【００１８】
箱蓋７は、底面２の矩形形状に対応する面積を有する矩形の蓋部８によって形成されている。蓋部８は、図２に矢印１３ａ、１３ｂで示すように、後方側の後縁辺８４が、後壁部６の上方側の頂縁辺６２に折り曲げ可能に連結されている。
【００１９】
蓋部８は、後縁辺８４に対向する前縁辺８１と、後縁辺８４の両端に直交して前縁辺８１に向かって伸びる左縁辺８２、右縁辺８３とを備えている。
【００２０】
前壁部３は、図６（ａ）に示すように、前壁部３の大きさ（面積）に対応する大きさ（面積）を有している矩形の前壁板状体３ａが、内外二重になっている前壁布部材３ｂ、３ｃの内側に装入されて形成されている。前壁布部材３ｂが前壁部３の外側面になり、前壁布部材３ｃが前壁部３の内側面となる。
【００２１】
後壁部６も、図６（ｃ）に示すように、後壁部６の大きさ（面積）に対応する大きさ（面積）を有している矩形の後壁板状体６ａが、内外二重になっている後壁布部材６ｂ、６ｃの内側に装入されて形成されている。後壁布部材６ｂが後壁部６の外側面になり、後壁布部材６ｃが後壁部６の内側面となる。
【００２２】
左壁部４、左壁部５は図６（ｂ）、図６（ｄ）に概略を示しているが、次のように構成されている。
【００２３】
左壁部４は左壁中間部４ｃにおいて左壁前方側部４ｂと左壁後方側部４ａとに２分割されている。
【００２４】
そして、左壁前方側部４ｂの大きさ（面積）に対応する大きさ（面積）を有している矩形の左壁前方側板状体４ｄが、内外二重になっている左壁前方側布部材４ｆ、４ｇの内側に装入されている。
【００２５】
また、左壁後方側部４ａの大きさ（面積）に対応する大きさ（面積）を有している矩形の左壁後方側板状体４ｅが、内外二重になっている左壁後方側布部材４ｈ、４ｉの内側に装入されている。
【００２６】
左壁前方側布部材４ｆと左壁後方側布部材４ｈ及び、左壁前方側布部材４ｇと左壁後方側布部材４ｉとが図６（ｂ）に示すように左壁中間部４ｃにおいて結合されている。
【００２７】
左壁前方側布部材４ｇと左壁後方側布部材４ｉとが左壁部４の外側面になり、左壁前方側布部材４ｆと左壁後方側布部材４ｈとが左壁部４の内側面となる。
【００２８】
これによって、左壁部４は、それぞれ内外二重になっている左壁布部材（左壁前方側布部材４ｆ及び左壁後方側布部材４ｈと、左壁前方側布部材４ｇ及び左壁後方側布部材４ｉ）の内側に、左壁中間部４ｃにおいて折り曲げ可能になっている左壁板状体（左壁前方側板状体４ｄ及び左壁後方側板状体４ｅ）が装入されている構造になっている。
【００２９】
なお、図示の構造では、左壁板状体は、左壁中間部４ｃにおいて分割されている２枚の板状体である左壁前方側板状体４ｄと、左壁後方側板状体４ｅとからで構成され、内外二重になっている左壁布部材（左壁前方側布部材４ｆ及び左壁後方側布部材４ｈと、左壁前方側布部材４ｇ及び左壁後方側布部材４ｉ）が左壁中間部４ｃにおいて結合されているが、左壁部４の大きさ（面積）に対応する大きさ（面積）を有している矩形の左壁板状体が、左壁中間部４ｃにおいて結合されていない内外二重の左壁布部材の内側に装入され、左壁中間部４ｃにおいて、図２に矢印１５ａ、１５ｂで示すように、当該左壁板状体が折り曲げ可能になっている構成にすることもできる。
【００３０】
図示の構成のように、左壁板状体を、左壁中間部４ｃにおいて分割されている２枚の板状体である左壁前方側板状体４ｄと、左壁後方側板状体４ｅとからで構成し、左壁中間部４ｃにおいて結合されている内外二重の左壁布部材である左壁前方側布部材４ｆと左壁前方側布部材４ｇとの間、左壁後方側布部材４ｈと左壁後方側布部材４ｉとの間の内部空間に左壁前方側板状体４ｄ、左壁後方側板状体４ｅがそれぞれ装入されている構造にすれば、図２図示のように折り畳む際により簡単・容易に折り畳みできるので有利である。
【００３１】
右壁部５も上述した左壁部４と同様の構成になっている。
【００３２】
すなわち、右壁部５は右壁中間部５ｃにおいて右壁前方側部５ｂと右壁後方側部５ａとに２分割されている。
【００３３】
そして、右壁前方側部５ｂの大きさ（面積）に対応する大きさ（面積）を有している矩形の右壁前方側板状体５ｄが、内外二重になっている右壁前方側布部材５ｆ、５ｇの内側に装入されている。
【００３４】
また、右壁後方側部５ａの大きさ（面積）に対応する大きさ（面積）を有している矩形の右壁後方側板状体５ｅが、内外二重になっている右壁後方側布部材５ｈ、５ｉの内側に装入されている。
【００３５】
右壁前方側布部材５ｆと右壁後方側布部材５ｈ及び、右壁前方側布部材５ｇと右壁後方側布部材５ｉとが図６（ｄ）に示すように右壁中間部５ｃにおいて結合されている。
【００３６】
右壁前方側布部材５ｇと右壁後方側布部材５ｉとが右壁部５の外側面になり、右壁前方側布部材５ｆと右壁後方側布部材５ｈとが右壁部５の内側面となる。
【００３７】
これによって、右壁部５は、それぞれ内外二重になっている右壁布部材（右壁前方側布部材５ｆ及び右壁後方側布部材５ｈと、右壁前方側布部材５ｇ及び右壁後方側布部材５ｉ）の内側に、右壁中間部５ｃにおいて折り曲げ可能になっている右壁板状体（右壁前方側板状体５ｄ及び右壁後方側板状体５ｅ）が装入されている構造になっている。
【００３８】
なお、図示の構造では、右壁板状体は、右壁中間部５ｃにおいて分割されている２枚の板状体である右壁前方側板状体５ｄと、右壁後方側板状体５ｅとからで構成され、内外二重になっている右壁布部材（右壁前方側布部材５ｆ及び右壁後方側布部材５ｈと、右壁前方側布部材５ｇ及び右壁後方側布部材５ｉ）が右壁中間部５ｃにおいて結合されているが、右壁部５の大きさ（面積）に対応する大きさ（面積）を有している矩形の右壁板状体が、右壁中間部５ｃにおいて結合されていない内外二重の右壁布部材の内側に装入され、右壁中間部５ｃにおいて、図２に矢印１４ａ、１４ｂで示すように、当該右壁板状体が折り曲げ可能になっている構成にすることもできる。
【００３９】
図示の構成のように、右壁板状体を、右壁中間部５ｃにおいて分割されている２枚の板状体である右壁前方側板状体５ｄと、右壁後方側板状体５ｅとからで構成し、右壁中間部５ｃにおいて結合されている内外二重の左壁布部材である右壁前方側布部材５ｆと右壁前方側布部材５ｇとの間、右壁後方側布部材５ｈと右壁後方側布部材５ｉとの間の内部空間に右壁前方側板状体５ｄ、右壁後方側板状体５ｅがそれぞれ装入されている構造にすれば、図２図示のように折り畳む際により簡単・容易に折り畳みできるので有利である。
【００４０】
蓋部８も、図示していないが、前壁部３、後壁部６と同じように、蓋部８の大きさ（面積）に対応する大きさ（面積）を有している矩形の蓋部板状体が、内外二重になっている蓋部布部材の内側に装入されて形成されている。
【００４１】
以上の前壁板状体３ａ、後壁板状体６ａ、左壁前方側板状体４ｄ、左壁後方側板状体４ｅ、右壁前方側板状体５ｄ、右壁後方側板状体５ｅ、蓋部板状体は、折り畳み式通箱に要求される強度・剛性を発揮できるものであれば種々の材質にすることができる。例えば、プラスチック製ダンボール（通称「プラダン」）によってこれらの板状体を準備することができる。
【００４２】
プラダンを用いて折り畳み式通箱を製作した場合、表面が滑りやすいので、特に、折り畳んで持ち運んだり、積み重ねや、整理をする際に取り扱いにくいという問題がある。
【００４３】
本発明の折り畳み式通箱では、箱体の壁面を構成するプラダンが内外二重の布部材の内側に内装されているので、各壁面の表面は布部材となり、滑りにくくなっている。そこで、折り畳んで持ち運んだり、積み重ねや、整理をする際に取り扱いにくいという問題は生じない。
【００４４】
蓋部８の左縁辺８２の部分、前縁辺８１の部分及び、右縁辺８３の部分と、左壁部４の頂縁辺４２の部分、前壁部３の上方側の頂縁辺３２の部分及び、右壁部５の上方側の頂縁辺５２の部分とに、スライドファスナー９を構成する一対のファスナーテープ１０ａ、１０ｂがそれぞれ配備されている。
【００４５】
スライドファスナー９によって、蓋部８の左縁辺８２、前縁辺８１、右縁辺８３が、それぞれ、左壁部４の頂縁辺４２、前壁部３の頂縁辺３２、右壁部５の頂縁辺５２に取り付け取り外し可能になっている。
【００４６】
図１は、本発明の箱型の折り畳み式通箱１が箱状に組み立てられて使用されている状態を表すものであり、内部に運搬すべき荷物を収容した後、スライドファスナー９によって、蓋部８の左縁辺８２、前縁辺８１、右縁辺８３を、それぞれ、左壁部４の頂縁辺４２、前壁部３の頂縁辺３２、右壁部５の頂縁辺５２に取り付けて箱蓋７が閉じられている。
【００４７】
以上説明したように、本発明の箱型の折り畳み式通箱１は、前壁部３、後壁部６、左壁部４、右壁部５及び、箱蓋７を構成する蓋部８及び、箱底を形成する布部材製の矩形の底面２から構成されている。そして、前壁部３、後壁部６、左壁部４、右壁部５、蓋部８は、いずれも、内外二重の布部材の内側に、それぞれ、プラダンなどの、折り畳み式通箱に要求される強度・剛性を発揮できる材質からなる板状体が内装されている。
【００４８】
この結果、底を形成する布部材製の矩形の底面２と前壁部３、後壁部６、左壁部４、右壁部５との連結部、前壁部３と左壁部４、右壁部５との連結部、後壁部６と左壁部４、右壁部５との連結部、後壁部６と箱蓋７を構成する蓋部８との連結部は、いずれも布部材同士による連結になっている。
【００４９】
これによって、図１図示のように箱状に組み立てられて使用されている状態から、図２図示のように折り畳み始めて、図３、図４図示のように折り畳む際に、底面２と前壁部３、後壁部６、左壁部４、右壁部５との間の連結部における必要な折れ曲がり等の変形、前壁部３と左壁部４、右壁部５との間の連結部における必要な折れ曲がり等の変形、後壁部６と左壁部４、右壁部５との間の連結部における必要な折れ曲がり等の変形、後壁部６と箱蓋７を構成する蓋部８との間の連結部における必要な折れ曲がり等の変形が可能になっている。
【００５０】
なお、図示の実施形態では、図１図示のように立方体形状の折り畳み式通箱１とし、蓋部８、前壁部３、後壁部６を構成する蓋部板状体、前壁板状体３ａ、後壁板状体６ａはそれぞれ同一の大きさ（面積の）正方形にし、左壁前方側板状体４ｄの面積と左壁後方側板状体４ｅの面積の合計及び、右壁前方側板状体５ｄの面積と右壁後方側板状体５ｅの面積の合計がそれぞれ蓋部板状体などの正方形の面積と同一になるようにしている。また、箱底を形成する布部材製の矩形の底面２の大きさ（面積）も、図１図示のように組み立てられて使用される際の拡げられている（展張されている）状態の大きさ（面積）が、前記蓋部８などの正方形の大きさ（面積）と同一になるようにしている。
【００５１】
図５に示すように、スライドファスナー９を構成するスライダー１２によって、蓋部８の左縁辺８２の部分、前縁辺８１の部分及び、右縁辺８３の部分に配備されているファスナーテープ１０ａの務歯列１１ａと、左壁部４、前壁部３、右壁部５の頂縁辺４２、３２、５２の部分に配備されているファスナーテープ１０ｂの務歯列１１ｂとがかみ合わされてスライドファスナー９が閉じられるときに、前壁部３の頂縁辺３２の部分に配備されているファスナーテープ１０ｂの務歯列１１ｂの務歯頭部は、前壁部３の頂縁辺３２よりも下側に位置するようになっている。
【００５２】
図示していないが、左壁部４、右壁部５においても同様になっており、スライドファスナー９を構成するスライダー１２によって、蓋部８の左縁辺８２の部分、前縁辺８１の部分及び、右縁辺８３の部分に配備されているファスナーテープ１０ａの務歯列１１ａと、左壁部４、前壁部３、右壁部５の頂縁辺４２、３２、５２の部分に配備されているファスナーテープ１０ｂの務歯列１１ｂとがかみ合わされてスライドファスナー９が閉じられるときに、左壁部４の頂縁辺４２の部分に配備されているファスナーテープ１０ｂの務歯列１１ｂの務歯頭部及び、右壁部５の頂縁辺５２の部分に配備されているファスナーテープ１０ｂの務歯列１１ｂの務歯頭部は、それぞれ、左壁部４の頂縁辺４２、右壁部５の頂縁辺５２よりも下側に位置するようになっている。
【００５３】
この結果、図１図示のように、スライドファスナー９によって、蓋部８の左縁辺８２、前縁辺８１、右縁辺８３を、それぞれ、左壁部４の頂縁辺４２、前壁部３の頂縁辺３２、右壁部５の頂縁辺５２に取り付けて、箱蓋７を閉じると、矢印１２ｂ、１２ａ、１２ｃで示すように、蓋部８の左縁辺８２、前縁辺８１、右縁辺８３は、それぞれ、左壁部４の頂縁辺４２、前壁部３の頂縁辺３２、右壁部５の頂縁辺５２を外側に乗り越えるように引っ張られる力を受ける。
【００５４】
そこで、図１図示のように、箱蓋７を閉じた際に、箱蓋７を構成する蓋部８が後壁部６、左壁部４、前壁部３、右壁部５で構成される矩形の箱体の内側に落ち込むおそれが無くなる。
【００５５】
この折り畳み式通箱１の折り畳みは図２〜図４に表されているように、次のようにして行われる。
【００５６】
スライダー１２を移動させてスライドファスナー９を開き、蓋部８の左縁辺８２、前縁辺８１及び、右縁辺８３を、それぞれ、左壁部４、前壁部３、右壁部５の頂縁辺４２、３２、５２から取り外し、蓋部８の後縁辺８４を中心として蓋部８を矢印１３ｂ方向に回転させ、図２図示のような状態にする。
【００５７】
次いで、布部材製の矩形の底面２の中央部に取り付けられている紐１６を掴んで矢印１７で示すように上方側に引き上げ、底面２をその中央部において上方側に引き上げる。
【００５８】
これに応じて、布部材製の底面２の前縁辺２１、後縁辺２４、左縁辺２２、右縁辺２３が、底面２の中央部側に向かって移動しようとする。
【００５９】
この際、前壁部３の下側は、内外二重になっている前壁布部材３ｂ、３ｃの下側の底縁辺３１で布部材製の底面２の前縁辺２１に連結されており、後壁部６の下側は、内外二重になっている後壁布部材６ｂ、６ｃの下側の底縁辺６１で布部材製の底面２の後縁辺２４に連結されており、前壁部３と左壁部４、右壁部５との連結部及び、後壁部６と左壁部４、右壁部５との連結部も、布部材同士による連結になっているので、布部材製の底面２の前縁辺２１と後縁辺２４とが底面２の中央部側に向かって移動するのに対応して、前壁部３と後壁部６とは、底面２の中央部側に向かって、図２に矢印１８ａ、１８ｂで示すように、互いに接近する方向に移動する。
【００６０】
また、左壁部４は、内外二重になっている左壁前方側布部材４ｆ及び左壁前方側布部材４ｇの下側の底縁辺４１ｂ、内外二重になっている左壁後方側布部材４ｈ及び左壁後方側布部材４ｉの下側の底縁辺４１ａが、布部材製の底面２の左縁辺２２に連結され、右壁部５は、内外二重になっている右壁前方側布部材５ｆ及び右壁前方側布部材５ｇの下側の底縁辺５１ｂ、内外二重になっている右壁後方側布部材５ｈ及び右壁後方側布部材５ｉの下側の底縁辺５１ａが、布部材製の底面２の右縁辺２３に連結されている。
【００６１】
そして、左壁部４、右壁部５は、左壁中間部４ｃ、右壁中間部５ｃにおいて、これまた布部材同士による連結になっていて、図２に矢印１５ａ、１５ｂ、１３４ａ、１４ｂで示すように、それぞれ折り曲げ可能になっている。
【００６２】
この結果、布部材製の矩形の底面２の中央部に取り付けられている紐１６が矢印１７で示すように上方側に引き上げられることにより、底面２がその中央部において上方側に引き上げられ、これに応じて、布部材製の底面２の左縁辺２２、右縁辺２３が、底面２の中央部側に向かって移動しようとすると、左壁中間部４ｃと、右壁中間部５ｃとが、図２に矢印１５ａ、１４ａで示すように、底面２の中央部側に向かって互いに接近する方向に移動する。
【００６３】
こうして、布部材製の矩形の底面２の中央部に取り付けられている紐１６が矢印１７で示すように上方側に引き上げられ、底面２がその中央部において上方側に引き上げられると、これに応じて、布部材製の底面２の前縁辺２１、後縁辺２４、左縁辺２２、右縁辺２３が、底面２の中央部側に向かって移動することにより、前壁部３と後壁部６とが、底面２の中央部側に向かって、図２に矢印１８ａ、１８ｂで示すように、互いに接近する方向に移動し、同時的に、左壁中間部４ｃと、右壁中間部５ｃとが、図２に矢印１５ａ、１４ａで示すように、底面２の中央部側に向かって互いに接近する方向に移動する。
【００６４】
これによって、折り畳み式通箱１を、ワンタッチで、簡単に、図２図示の状態から図３図示のように折り畳むことができる。すなわち、布部材製の矩形の底面２の中央部に取り付けられている紐１６が矢印１７で示すように上方側に引き上げると、直ちに、左壁中間部４ｃと右壁中間部５ｃとが中央で近接して対向するように、右壁前方側部５ｂと右壁後方側部５ａとが折り畳まれると共に、左壁前方側部４ｂと左壁後方側部４ａとが折り畳まれ、これらが上下から前壁部３と後壁部６とによって挟み込まれる状態に折り畳まれる。
【００６５】
その後、蓋部８を、後壁部６の上方側の頂縁辺６２に連結されている後方側の後縁辺８４を中心として矢印１００ａ（図３）、１００ｂ（図４）で示すように折り畳む。この結果、蓋部８の表側の面（外側の面）が、後壁部６の表側の面（外側の面）に当接することになる（図４）。
【００６６】
前壁部３は、その表側の面（外側の面）の底縁辺３１中央部及び頂縁辺３２中央部にそれぞれ取り付け手段を備えている。図示の実施形態では、取り付け手段は面ファスナー３６、３５であり、これらは、それぞれ、前壁部３の表側の面（外側の面）に固定され、起毛している取り付け面３６ａ、３５ａが図３図示のように外側に面している。
【００６７】
箱蓋７を構成する蓋部８は、その内側の面（図１のように箱状に組み立てた際に内側になる面）の前縁辺８１中央部及び後縁辺８４中央部にそれぞれ取り付け手段を備えている。図示の実施形態では、取り付け手段は、所定の幅を有するひも状の面ファスナー８５、８６であり、これらは、いずれもその基端が蓋部８の内側面に固定されていて、先端が自由端になっている。
【００６８】
そこで、図４図示のように折り畳んだ後、面ファスナー８６の起毛している取り付け面８６ａを、面ファスナー３５の起毛している取り付け面３５ａに取り付けることにより、図２で上方の開口している側における、左壁中間部４ｃと右壁中間部５ｃ及び、右壁前方側部５ｂと右壁後方側部５ａをそれぞれ折り畳んで、前壁部３と後壁部６との間に挟みこむ折り畳み状態を固定することができる。
【００６９】
また、図４図示のように折り畳んだ後、面ファスナー８５の起毛している取り付け面８５ａを、面ファスナー３６の起毛している取り付け面３６ａに取り付けることにより、図３で左側方向に示されている箱体の底部側における、左壁中間部４ｃと右壁中間部５ｃ及び、右壁前方側部５ｂと右壁後方側部５ａをそれぞれ折り畳んで、前壁部３と後壁部６との間に挟みこむ折り畳み状態を固定することができる。
【００７０】
折り畳んだ後は、その厚みは、図４図示のように、下側から、蓋部８を構成する内外二重の蓋部布部材とこれに内装されている蓋部板状体、後壁部６を構成する内外二重の後壁布部材６ｂ、６ｃとこれに内装されている後壁板状体６ａ、左壁部４を構成する内外二重の左壁前方側布部材４ｆ及び左壁前方側布部材４ｇとこれに内装されている左壁前方側板状体４ｄ及び、内外二重の左壁後方側布部材４ｈ及び左壁後方側布部材４ｉとこれに内装されている左壁後方側板状体４ｅ（右壁部５を構成する内外二重の右壁前方側布部材５ｆ及び右壁前方側布部材５ｇとこれに内装されている右壁前方側板状体５ｄ及び、内外二重の右壁後方側布部材５ｈ及び右壁後方側布部材５ｉとこれに内装されている右壁後方側板状体５ｅ）、前壁部３を構成する内外二重の前壁布部材３ｂ、３ｃとこれに内装されている前壁板状体３ａの厚みになる。
【００７１】
蓋部板状体、後壁板状体６ａ、左壁前方側板状体４ｄ（右壁前方側板状体５ｄ）、左壁後方側板状体４ｅ（右壁後方側板状体５ｅ）、前壁板状体３ａの厚みをいずれも同一の、例えば、５ｍｍにしておけば、この５枚分＝２５ｍｍ（５ｍｍ×５枚）＋１０枚の布状部材の厚みでしかなく、図４のように折り畳んだときの厚みは、例えば、蓋部板状体などの厚みを１枚５ｍｍとしても全体で４０ｍｍ程度でしかない。
【００７２】
そして、図示の実施形態では、蓋部板状体、前壁板状体３ａ、後壁板状体６ａがそれぞれ同一の大きさ（面積の）正方形で、左壁前方側板状体４ｄの面積と左壁後方側板状体４ｅの面積の合計及び、右壁前方側板状体５ｄの面積と右壁後方側板状体５ｅの面積の合計がそれぞれ蓋部板状体などの正方形の面積と同一になるようにしているので、図４図示のように折り畳んだときの面積は、蓋部板状体（すなわち、前壁板状体３ａあるいは、後壁板状体６ａ）の面積を占めるだけでしかなくなる。
【００７３】
すなわち、本発明の折り畳み式通箱１は、図４図示のように折り畳んだ際に、厚みが大きくなく、専有する面積も箱体の一つの壁面の面積でしかないので、大きな面積を要しない。
【００７４】
更に、プラダン製の蓋部板状体などが内外二重の布部材の内側に内装されていて、図４図示のように折り畳んだときの外側面は布部材になるため、人間の手で持とうとしたときに滑るおそれがなく、図４図示のように折り畳んだものを保管のために積み重ねする場合や、離れた保管場所に運ぶ場合に取扱が容易になる。
【００７５】
図４図示のように折り畳まれている状態から図２図示の状態へと展開する場合には、上述した工程と逆に、面ファスナー８５と面ファスナー３６との取り付け状態、面ファスナー８６と面ファスナー３５との取り付け状態を解除し、蓋部８が取り付けられていて開口になる側（図２中、上側）の左壁中間部４ｃ上部と右壁中間部５ｃ上部とを矢印１４ｂ、１５ｂ（図２）で示す方向に押し開けば、これまた、ワンタッチで、単単に展開して箱状に組み立てることができる。
【００７６】
以上説明した本発明の折り畳み式通箱１では、図１図示のように組み立て、内部に荷物を収容して運搬に供する場合、箱底を形成する矩形の底面２が布部材製であるので、箱底の強度を高めるべく、底面補強板１１１を折り畳み式通箱１に付属させておいて使用することができる。
【００７７】
この底面補強板１１１は、箱底の強度を高めるために使用されるので、箱底を形成する布部材製の矩形の底面２に対応する大きさ（面積）を有するものを使用する。
【００７８】
底面補強板１１１も前述した蓋部８、前壁部３、後壁部６などと同じように、内外二重の布部材の内側にプラダン製の底面板状体が装入されて形成されている構成にすることができる。
【００７９】
図示の実施形態では、図１図示のように立方体形状の折り畳み式通箱１で、底面２の大きさ（面積）も図１図示のように組み立てられて使用される際の拡げられている（展張されている）状態の大きさ（面積）が、蓋部８などの大きさと同一になっているので、底面板状体が内部に装入されて形成されている底面補強板１１１の大きさは、蓋部８、前壁部３、後壁部６と同一の大きさ（面積の）正方形になっている。
【００８０】
そこで、図１図示のように組み立てて、内部に荷物を収容して運搬に供する場合には、箱底を形成する布部材製の矩形の底面２の上に底面補強板１１１を敷いて箱底の強度を高め、図２〜図４で説明するように折り畳み式通箱１を折り畳む場合には、底面補強板１１１の頂点の一つに取り付けられている紐１１２を持って底面から引き上げ、同じ大きさ（面積）の後壁部６の内側の面に当接させる（図２）。
【００８１】
この状態で、上述したように、図２〜図４で説明する工程で折り畳むことにより、後壁部６の内側面と、左壁部４の左壁中間部４ｃまでの内側面及び右壁部５の右壁中間部５ｃまでの内側面との間に底面補強板１１１を挟みこむことができる。
【００８２】
なお、前記で、図２図示の状態とは異なり、底面補強板１１１を前壁部３の内側の面に当接させ、この状態で、上述したように、図２〜図４で説明する工程で折り畳むと、前壁部３の内側面と、左壁部４の左壁中間部４ｃまでの内側面及び右壁部５の右壁中間部５ｃまでの内側面との間に底面補強板１１１を挟みこむことができる。
【００８３】
こうして、図１図示のように組み立て、内部に荷物を収容して運搬に供する場合に箱底の強度を高めるために使用する底面補強板１１１は、図４図示のように折り畳んだ状態ではその内部に収容しておくことができる。
【００８４】
図７は、この発明の折り畳み式通箱１を図１のように組み立て内部に荷物を収容して運搬に供する際に、収容している荷物などの安全確保、管理のために使用する盗難防止具１０１を説明するものである。
【００８５】
透孔を有している筒状基部１０２に紐部１０３の基端が取り付けられており、紐部１０３の先端１０４は先細の装入掛合部になっている。
【００８６】
盗難防止具１０１は合成樹脂製で、先端１０４を筒状基部１０２の透孔の入り口孔１０８から挿入し、透孔の出口孔１０６から突出させる。先細の装入掛合部になっている先端１０４を大径部１０５を備えており、図７（ｂ）図示のように先端１０４を出口孔１０６から突出させると、大径部１０５が筒状基部１０２の端面１０７に掛合して抜き出すことができなくなる。
【００８７】
そこで、図７（ｃ）図示のように、左右両方向からスライダー１２ａ、１２ｂを移動させてきてスライドファスナー９を閉じた後、スライダー１２ａ、１２ｂの引手１２ｃ、１２ｂに形成されている孔１２ｄ、１２ｅ内に盗難防止具１０１の先端１０４を通し、先端１０４と筒状基部１０２とを掛合させると、先端１０４を筒状基部１０２の透孔から抜き出すことができなくなる。
【００８８】
スライドファスナー９を開こうとするときにはカッター、はさみのような切断手段によって紐部１０３を切断することが必要になるので、図７（ｃ）図示のようにスライドファスナー９を閉じた後、許可されていない者によって無断で折り畳み式通箱１が開けられてしまう危険を未然に防止することができる。
【００８９】
紐部１０３に紙製や合成樹脂製の目印１１０を取り付けておき、折り畳み式通箱１内に収容した荷物を指標する記号・符号などを目印１１０に表示するようにすれば、折り畳み式通箱１内に収容した荷物の識別に便利になる。
【００９０】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【００９１】
１    折り畳み式通箱
２    箱底を形成する布部材製の矩形の底面
３    前壁部
３ａ  前壁板状体
３ｂ、３ｃ  前壁布部材
４    左壁部
４ａ  左壁後方側部
４ｂ  左壁前方側部
４ｃ  左壁中間部
４ｄ  左壁前方側板状体
４ｅ  左壁後方側板状体
４ｆ、４ｇ  左壁前方側布部材
４ｈ、４ｉ  左壁後方側布部材
５    右壁部
５ａ  右壁後方側部
５ｂ  右壁前方側部
５ｃ  右壁中間部
５ｄ  右壁前方側板状体
５ｅ  右壁後方側板状体
５ｆ、５ｇ  右壁前方側布部材
５ｈ、５ｉ  右壁後方側布部材
６    後壁部
６ａ  後壁板状体
６ｂ、６ｃ  後壁布部材
７    箱蓋
８    蓋部
９    スライドファスナー
１０ａ、１０ｂ  ファスナーテープ
１１ａ、１１ｂ  務歯列
１２  スライダー
１６  紐
２１  底面の前縁辺
２２  底面の左縁辺
２３  底面の右縁辺
２４  底面の後縁辺
３１  前壁部の下方側の底縁辺
３２  前壁部の頂縁辺
３５、３６  面ファスナー
３５ａ、３６ａ  取り付け面
４１  左壁部の下方側の底縁辺
４２  左壁部の頂縁辺
５１  右壁部の下方側の底縁辺
５２  右壁部の頂縁辺
６１  後壁部の下方側の底縁辺
６２  後壁部の上方側の頂縁辺
８１  蓋部の前縁辺
８２  蓋部の左縁辺
８３  蓋部の右縁辺
８４  蓋部の後方側の後縁辺
８５、８６  面ファスナー
８５ａ、８６ａ  取り付け面
１１１  底面補強板
１１２  紐
１０１  盗難防止具
１０２  筒状基部
１０３  紐部
１０４  先端（先細の装入掛合部）
１０８  透孔の入り口孔
１０６  透孔の出口孔
【図１】
2012106760.tif 000003
【図２】
2012106760.tif 000004
【図３】
2012106760.tif 000005
【図４】
2012106760.tif 000006
【図５】
2012106760.tif 000007
【図６】
2012106760.tif 000008
【図７】
2012106760.tif 000009